(57)【要約】  【課題】ティッシュペーパーが折り畳まれた状態で積層されたティッシュペーパー束がフィルム包装袋内に収容された携帯用ティッシュにおいて、使用場面や使用用途に応じて都合の良い箇所からティッシュペーパーを取り出しできるようにする。  【解決手段】ティッシュペーパー２，２…が折り畳まれた状態で積層されたティッシュペーパー束２Ａがフィルム包装袋３内に収容された携帯用ティッシュ１Ａにおいて、前記フィルム包装袋３にはティッシュペーパー２，２…を取り出すために２つの取出口３ａ、３ｂが設けられている。前記取出口３ａ、３ｂはミシン目仕様の取出口の他、開閉フラップ方式の取出口とすることもできる。【選択図】図１
2005088970.tif 000002
【特許請求の範囲】
【請求項１】
シート状物品が折り畳まれた状態で積層されたシート状物品束がフィルム包装袋内に収容された製品において、
前記フィルム包装袋に、シート状物品を取り出すための取出口が少なくとも２以上設けられていることを特徴とするシート状物の収容製品。
【請求項２】
前記複数の取出口の内、少なくとも１つはミシン目仕様の取出口である請求項１記載のシート状物の収容製品。
【請求項３】
前記複数の取出口の内、少なくとも１つは一端側に摘み部を有し、かつ他端側に剥離不能に接着された固定部を有する開閉フラップによって開口が塞がれた取出口である請求項１記載のシート状物の収容製品。
【請求項４】
前記取出口は、直線、曲線、円、楕円、菱形、三角形のいずれかの形状、又はこれら形状の組合せとされる請求項１〜３いずれかに記載のシート状物の収容製品。
【請求項５】
前記シート状物の収容製品は、前記フィルム包装体の短辺方向周長と、シート状物品束の短辺方向周長とが等しくなるシート状物品束の断面積の場合を充填率１００％として、この充填率が６０％以上とされる請求項１〜４いずれかに記載のシート状物の収容製品。
【請求項６】
前記シート状物品がティッシュペーパー、ウェットティッシュペーパー、ドライワイプ、キッチンタオル、トイレットペーパーである請求項１〜５いずれかに記載のシート状物品の収容製品。
【発明の詳細な説明】
【技術分野】
【０００１】
本発明は、ティッシュペーパー、ウェットティッシュペーパーまたはドライワイプ等のシート状物品が折り畳まれた状態で積層されたシート状物品束がフィルム包装袋内に収容されたシート状物品の収容製品に関する。
【背景技術】
【０００２】
例えば、ティッシュペーパーは使用者の便宜に供するように、種々の形態で市場に提供されている。最も多いのは、ボックス型とポケット型である。前者のボックス型は、上面に取出口を有する紙箱内に、通常は１５０組（３００枚）〜２２０組（４４０枚）のティッシュペーパーを折り重ねた状態で収容したもので、後者のポケット型は概ね縦７０〜８０mm、横１１０〜１２０mmのサイズのポリエチレン包装袋内に１０〜１５組程度のティッシュペーパーを折り重ねた状態（以下、ティッシュペーパー束という。）で収容したものである。
【０００３】
近年、これらボックス型とポケット型とに加え、中間サイズのパック包装された携帯用ティッシュ（以下、ハンディ型という。）が市場に提供されるようになってきた。このハンディ型携帯ティッシュは、主には鼻炎、花粉症、旅行等のある程度の使用量が必要とされる際、使用に供されるもので、図９に示されるように、幅方向中心位置に長手方向に沿って１本のミシン目取出口５０ａが形成されたポリエチレン又はポリプロピレン等のフィルム包装袋５０内に約５０組程度のティッシュペーパー束５１Ａを収容し、短辺側の２側縁５２，５２をそれぞれシールにより封鎖したもので、平面サイズはほぼ前記ボックス型と同程度のサイズを有する。
【発明の開示】
【発明が解決しようとする課題】
【０００４】
しかしながら、前記ハンディ型の携帯用ティッシュをハンドバック、鞄等のバッグ内に立て置きで収容した状態のまま、ティッシュペーパーを取り出そうとする場合、取出口（ミシン目５０ａ）が表面中央に１箇所しか設けられていないため、他の収容物を押し退けなければティッシュペーパーが取り出しづらいなどの問題があった。
【０００５】
一方、台所やリビング等で吊り下げた状態で使用する場合、使用者は自分の手元の方向へティッシュペーパーを引き出したいにもかかわらず、取出口が前述したように表面中央にあるため、水平方向にティッシュペーパーを引っ張らなければならず、仮に強引に手元方向へ引っ張った場合には、包装袋内のティッシュペーパー束がずれてきてしまうなどの問題があった。
【０００６】
以上のように、従来の携帯用ティッシュの場合には、取出口がフィルム包装袋の表面中央に１箇所だけ形成されているため、使用場面や使用用途によっては不便さを感じることがあった。なお、前記ティッシュペーパー以外のシート状物品がフィルム包装袋内に収容された製品、例えばウェットティッシュペーパー、ドライワイプ又はキッチンタオルなどにおいても各使用形態において同様の問題がある。
【０００７】
そこで、本発明の主たる課題は、ティッシュペーパーなどのシート状物品が折り畳まれた状態で積層されたシート状物品束がフィルム包装袋内に収容された製品において、使用場面や使用用途に応じて適切な箇所からシート状物品を取り出しできるようにすることにある。
【課題を解決するための手段】
【０００８】
前記課題を解決するために請求項１に係る本発明として、シート状物品が折り畳まれた状態で積層されたシート状物品束がフィルム包装袋内に収容された製品において、
【０００９】
前記フィルム包装袋に、シート状物品を取り出すための取出口が少なくとも２以上設けられていることを特徴とするシート状物の収容製品が提供される。
【００１０】
上記請求項１記載の本発明によれば、前記フィルム包装袋に取出口を少なくとも２以上設けたので、使用場面や使用用途に応じて、最も取出し易い取出口から任意にティッシュペーパー、ウェットティッシュペーパーまたはドライワイプなどのシート状物品を取出しできるようになる。例えば、携帯用ティッシュをバッグ内に立て置きで収容した場合は、上側の側縁部に形成した取出口からティッシュペーパーを取出しできるようになるため、他の収容物を押し退けずにティッシュペーパーを容易に取り出すことができるようになる。また、携帯用ティッシュを吊り下げて使用した場合には、フィルム包装袋の下部側に形成した取出口から取出しできるようになるなど、使用場面や使用用途に応じた都合の良い箇所からの取出しが可能となる。
【００１１】
請求項２に係る本発明として、前記複数の取出口の内、少なくとも１つはミシン目仕様の取出口である請求項１記載のシート状物の収容製品が提供される。
【００１２】
請求項３に係る本発明として、前記複数の取出口の内、少なくとも１つは一端側に摘み部を有し、かつ他端側に剥離不能に接着された固定部を有する開閉フラップによって開口が塞がれた取出口である請求項１記載のシート状物の収容製品が提供される。
【００１３】
フィルム包装袋に形成される取出口の形態としては、一般的に採用されているミシン目仕様の取出口の他、開閉フラップ方式の取出口とすることもできる。
【００１４】
請求項４に係る本発明として、前記取出口は、直線、曲線、円、楕円、菱形、三角形のいずれかの形状、又はこれら形状の組合せとされる請求項１〜３いずれかに記載のシート状物の収容製品が提供される。
【００１５】
取出口の形状については、何ら限定がなく、例えば直線、曲線、円、楕円、菱形、三角形のいずれか、又はこれら形状の組合せとすることができる。
【００１６】
請求項５に係る本発明として、前記シート状物の収容製品は、前記フィルム包装体の短辺方向周長と、シート状物品束の短辺方向周長とが等しくなるシート状物品束の断面積の場合を充填率１００％として、この充填率が６０％以上とされる請求項１〜４いずれかに記載のシート状物の収容製品が提供される。
【００１７】
上記請求項５記載の本発明によれば、シート状物品束の充填率を６０％以上となるようにした。したがって、前記シート状物の収容製品を吊り下げて使用した場合であっても、収容されるシート状物品束がヨレを起こしにくくなる。
【００１８】
請求項６記載の発明として、前記シート状物品がティッシュペーパー、ウェットティッシュペーパー、ドライワイプ、キッチンタオル、トイレットペーパーである請求項１〜５いずれかに記載のシート状物品の収容製品が提供される。
【発明の効果】
【００１９】
以上詳説のとおり本発明によれば、ティッシュペーパー、ウェットティッシュペーパー、ドライワイプまたはトイレットペーパー等のシート状物品が折り畳まれた状態で積層されたシート状物品束がフィルム包装袋内に収容された製品において、使用場面や使用用途に応じて適切な箇所からシート状物品を取り出しできるようになる。
【発明を実施するための最良の形態】
【００２０】
以下、本発明の実施の形態について図面を参照しながら詳述する。
本発明はティッシュペーパー、ウェットティッシュペーパー、ドライワイプまたはトイレットペーパー等のシート状物品全般に適用することが可能であるが、本形態例では前記ティッシュペーパーの例について詳述することとする。
【００２１】
図１は本発明に係る携帯用ティッシュ１Ａの斜視図、図２はその平面図、図３は図１のIII−III線矢視図である。
【００２２】
図１に示されるように、ハンディ型の携帯用ティッシュ１Ａは、２枚一組のティッシュペーパー２が、上下に積み重ねられるティッシュペーパー２、２と折り重ねられた状態で重畳され、このティッシュペーパー束２Ａがフィルム包装袋３内に収容されたものである。前記フィルム包装袋３は、収容されるティッシュペーパー束２Ａがヨレや型崩れを起こし難いように、好ましくは厚みが２０〜２００μmとされる。２０μmよりも薄くなると、中身を保持する強度が不十分となったり、また熱融着する場合に融着部が裂けたり、強度が弱くなり適当でない。２００μmよりも厚くなると、熱融着などの加工適性が悪くなり、生産性が大幅に低下するようになる。また、素材としては、包材として一般に使用されているポリエチレン、ポリプロピレンなどポリオレフィン類、アイオノマー、エチレンビニルアルコールなどの他、これらの素材や紙、アルミニウムなどをラミネート加工し、多層体にしたものなどを好適に使用することができる。ウェットティッシュなどのように内部に水分や薬液を含ませたシートを収容している場合などは内容物の乾燥を防ぐようなアルミシートを蒸着させたフィルムを使用することも可能である。なお、同図では包装形態は、開口側短辺４，４の２辺をシール封鎖する２辺シール包装（以下、ピロー包装ともいう。）が採用されている。
【００２３】
前記携帯用ティッシュ１Ａでは、図３に示されるように、フィルム包装袋３の短辺方向の周長Ｒと、前記ティッシュペーパー束２Ａの短辺方向の周長とが等しくなるティッシュペーパー束２Ａの断面積の場合をティッシュ充填率１００％として、このティッシュ充填率が６０％以上、このましくは７５％以上、より好ましくは９０％以上となるように前記フィルム包装袋３の短辺方向周長Ｒおよびティッシュペーパー束２Ａの断面積を決定するのが望ましい。前記ティッシュ充填率が６０％未満である場合には、ティッシュペーパー束２Ａとフィルム包装袋３との間に摩擦が生じず、ヨレ幅が規定値を超えてしまいフィルム包装袋３内にティッシュペーパー束２Ａを収容して縦向きに吊り下げた場合に前記ティッシュペーパー束２Ａのヨレを防ぐことができないとともに、型崩れを防止できなくなる。
【００２４】
前記フィルム包装袋３には、図１及び図２の例では、表面側の幅方向中心位置に長手方向に沿って直線状に形成された取出口３ａと、フィルム包装袋３の隅部を囲むようにして略円弧状に形成された取出口３ｂとが夫々形成されている。前記取出口３ａ及び取出口３ｂはミシン目仕様となっており、使用者は使用場面や使用用途に応じて、前記取出口３ａまたは３ｂを開封し、ティッシュペーパー２を取り出すことができるようになっている。ティッシュペーパー２の重畳構造は、最上部のティッシュペーパー２を取り出すと、次のティッシュペーパー２が取り出し易いように取出口３ａ、３ｂよりその一部が突出する、所謂ポップアップ方式が原則として採用されている。
【００２５】
前記ティッシュペーパー２の重畳構造としては、ボックスタイプなどで採用されている一般的な２つ折りの他、３つ折り（Ｚ折り又は変形Ｚ折り）などがある。前記２つ折り重畳構造は、図４に示されるように、各ティッシュペーパー２が略中央線を折り目として約半分に折り畳まれ、ティッシュペーパー２を１枚づつ交互に対向させ、上側に重ね合わされるティッシュペーパーの下側部分２ａと下側に重ね合わされるティッシュペーパーの上側部分２ｂとを順次重ね合わせて成る重畳構造である。前記３つ折りは、主にウェットティッシュなどに採用されている重畳構造で、例えば図５に示されるように、各ティッシュペーパー２がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分２ｂ、この上部分に隣接する中間を中部分２ｃ、残りを下部分２ｄとして、下側に重ね合わされるティッシュペーパー２の前記上部分２ｂのほぼ先端側半分が、上側に重ね合わされるティッシュペーパー２の前記上部分２ｂと中部分２ｃとによって挟まれながら、順次ティッシュペーパー２が積み重ねられている重畳構造や、図６に示されるように、中央線を折り目として約半分に折り畳まれた第１ティッシュペーパー２と、外側部分がそれぞれ反対面側に折り返され断面Ｚ状とされる第２ティッシュペーパー２’とが積層方向に交互に配列されるとともに、前記第１ティッシュペーパー２の上側部分２ｂのほぼ先端側半分が前記第２ティッシュペーパー２’の断面Ｚ形状を構成する下側の折返し部分２ｇと中間部分２ｆとの間に挟まれ、かつ前記第１ティッシュペーパー２の下側部分２ａのほぼ先端側半分が前記第２ティッシュペーパー２’の断面Ｚ形状を構成する上側折返し部分２ｅと中間部分２ｆとに挟まれながら順次積み重ねられている重畳構造などを挙げることができる。
【００２６】
なお、本発明は、使用場面や使用用途に応じて適切な取出し態様を提供するものであり、上述のホップアップ方式には限定されず、ティッシュペーパー２を取り出しても、次のティッシュペーパー２がフィルム包装袋３内に保持されフィルム包装袋３の取出口から外部に突出しない非ポップアップ式を採用してもよい。非ポップアップ方式の場合、取出しの容易さの点からすると不都合であるものの、取出口からティッシュペーパーが突出しないため、見栄えが良いとともに、衛生的となる利点がある。
【００２７】
この非ポップアップ式を採用する場合の重畳構造の一例としては、例えば図７に示されるように、断面略Ｚ状となるように、各ティッシュペーパー２の一方端を上側に、他方端を下側にほぼ等しい長さで折り返して両側縁に夫々折り線Ｋ、Ｋを有するようにした重畳構造などが挙げられる。なお、この場合、ティッシュペーパー束２Ａが嵩張らないように、折り返された上部分２ａおよび下部分２ｂの先端が、ティッシュペーパー２の中心線Ｏより手前側に位置するようにするのが望ましい。
【００２８】
本携帯用ティッシュ１Ａでは、フィルム包装袋３に取出口が２箇所以上設けられていればよく、取出口方式としては前記ミシン目仕様の他、ウェットティッシュ包装袋などに採用されている開閉フラップ方式の取出口とすることもできる。また、取出口の形状としては、直線、曲線、円、楕円、菱形、三角形のいずれかの形状、又はこれら形状の組合せ等の形状とすることができる。
【００２９】
前記取出口の形成態様としては、上記例に限らず、種々の態様とすることができる。その具体例として、例えば図８(A)〜(F)に示される携帯用ティッシュ１Ｂ〜１Ｇを挙げることができる。なお、図中、一点鎖線によるミシン目取出口は裏面側に存在するものとする。
【００３０】
先ず、図８(A)に示される携帯用ティッシュ１Ｂは、表面側の幅方向中心位置に長手方向に沿って直線状にミシン目取出口３ａを形成するとともに、裏面側の隅部上下２箇所に夫々略円弧状のミシン目取出口３ｃ、３ｄを形成した例であり、図８(B)に示される携帯用ティッシュ１Ｃは、表面側の幅方向中心位置に長手方向に沿って前記取出口３ａを形成するとともに、裏面下部側に逆Ｖ字状にミシン目取出口３ｅを形成した例である。
【００３１】
図８(C)に示される携帯用ティッシュ１Ｄは、表面側の幅方向中心位置に長手方向に沿って直線状のミシン目取出口３ａを形成するとともに、裏面側上部に幅方向に沿って直線状のミシン目取出口３ｆを形成した例であり、図８(D)に示される携帯用ティッシュ１Ｅは、表面側の幅方向中心位置に長手方向に沿って直線状のミシン目取出口３ａを形成するとともに、裏面側側部に長手方向に沿って直線状のミシン目取出口３ｇを形成した例である。
【００３２】
さらに、図８(E)に示される携帯用ティッシュ１Ｆは、表面側中央に、一端側に摘み部５ａを有し、かつ他端側に剥離不能に接着された固定部６，６を有する開閉フラップ５によって開口３ｉを塞いだ取出口とし、裏面側側部に長手方向に沿って直線状のミシン目取出口３ｈを形成した例であり、図８(F)に示される携帯用ティッシュ１Ｇは、表面側側部に長手方向に沿って直線状のミシン目取出口３ｊを形成するとともに、裏面側側部に長手方向に沿って直線状のミシン目取出口３ｇを形成した例である。
【００３３】
〔その他の形態例〕
(1)上記形態例では携帯用ティッシュを例に本発明を説明したが、前述したように、本発明は他にウェットティッシュペーパー、ドライワイプ、キッチンタオルまたはトイレットペーパーなどのシート状物品全般に対しても適用することが可能である。その際、収容されるシート状物品に応じて、包装材素材や取出口位置及び構造を本形態例で示した以外のものとすることも当然に可能である。
【図面の簡単な説明】
【００３４】
【図１】本発明に係る携帯用ティッシュ１Ａの斜視図である。
【図２】その平面図である。
【図３】図１のIII−III線矢視図である。
【図４】ティッシュペーパー２の重畳構造（２つ折り）を示す断面図である。
【図５】ティッシュペーパー２の重畳構造（３つ折り）を示す断面図である。
【図６】ティッシュペーパー２の重畳構造（変形３つ折り）を示す断面図である。
【図７】ティッシュペーパー２の重畳構造（非ポップアップ式）を示す断面図である。
【図８】携帯用ティッシュ１Ｂ〜１Ｇの平面図である。
【図９】従来の携帯用ティッシュ５０の斜視図である。
【符号の説明】
【００３５】
１Ａ〜１Ｇ…携帯用ティッシュ、２…ティッシュペーパー、２Ａ…ティッシュペーパー束、３…フィルム包装袋、３ａ〜３ｇ…取出口、４…開口側短辺、５…開閉フラップ、６…固定部
【図１】
2005088970.tif 000003
【図２】
2005088970.tif 000004
【図３】
2005088970.tif 000005
【図４】
2005088970.tif 000006
【図５】
2005088970.tif 000007
【図６】
2005088970.tif 000008
【図７】
2005088970.tif 000009
【図８】
2005088970.tif 000010
【図９】
2005088970.tif 000011